(57)【要約】【課題】  ＢＩＯＳの起動もオペレーティングシステムの実行もしない情況でも、画像データを直接に放映することができるダイレクトメディアクセスモードを有するコンピュータシステムを提供する。【解決手段】  コンピュータシステム１００は、メディアアクセス装置１０２、コンピュータホスト１０４、表示器１０６、ＭＰＥＧデコーダ１０８、バススイッチ１１０およびコントローラ１１３を含む。コンピュータモードの時、コンピュータホスト１０４をオンし、バススイッチ１１０はメディアアクセス装置１０２のバスデータ１１２をコンピュータホスト１０４へ切換える。ダイレクトメディアクセスモードの時、コンピュータホスト１０４をオフし、コンピュータシステム１００はメディアアクセス装置１０２のバスデータ１１２をＭＰＥＧデコーダ１０８へ切換えてデコードを行い、表示器１０６により表示する。【選択図】  図１
2005128992.tif 000002
【特許請求の範囲】
【請求項１】
表示器と、
メディアデータにアクセスしてバスデータを出力するメディアアクセス装置と、
コンピュータホストと、
前記バスデータを受信した時にデコードを行い、画像データストリームを前記表示器へ出力して表示するＭＰＥＧデコーダと、
前記バスデータを受信し、ルートの切換えに用いられ、前記コンピュータホストへの接続、または前記ＭＰＥＧデコーダへの接続を切り換えるバススイッチと、
前記メディアアクセス装置、前記ＭＰＥＧデコーダおよび前記バススイッチを制御するコントローラとを備えるダイレクトメディアクセスモードを有するコンピュータシステムであって、
前記コントローラの決定により、前記コンピュータシステムはコンピュータモードあるいはダイレクトメディアクセスモードのいずれかに制御され、
前記コンピュータモードの時、前記バススイッチは前記バスデータを前記コンピュータホストへ切換え、
前記ダイレクトメディアクセスモードの時、前記バススイッチは前記バスデータを前記ＭＰＥＧデコーダへ切換え、
前記コンピュータモードの時、前記コンピュータホストをオンにし、前記コンピュータホストは前記コンピュータシステムを制御し、
前記ダイレクトメディアクセスモードの時、前記コンピュータホストをオフにし、前記コントローラは前記コンピュータシステムを制御することを特徴とするダイレクトメディアクセスモードを有するコンピュータシステム。
【請求項２】
前記バススイッチと前記ＭＰＥＧデコーダとの間に位置し、前記バスデータがＭＰＥＧ標準に適合しない時、前記バスデータをＭＰＥＧ標準に適合するＭＰＥＧデータストリームに変換するインターフェイス装置をさらに備えることを特徴とする請求項１記載のダイレクトメディアクセスモードを有するコンピュータシステム。
【請求項３】
前記インターフェイス装置は、ユニバーサルシリアルバスをＭＰＥＧデータストリームに変換するインターフェイスであることを特徴とする請求項２記載のダイレクトメディアクセスモードを有するコンピュータシステム。
【請求項４】
前記インターフェイス装置は、ＩＤＥをＭＰＥＧデータストリームに変換するインターフェイスであることを特徴とする請求項２記載のダイレクトメディアクセスモードを有するコンピュータシステム。
【請求項５】
前記画像データストリームを受信し、放映されるテレビ信号をテレビへ出力するデジタル／アナログ変換器を有することを特徴とする請求項１記載のダイレクトメディアクセスモードを有するコンピュータシステム。
【請求項６】
前記画像データストリームを受信し、放映されるデジタルＲＧＢ信号あるいはアナログＲＧＢ信号を前記表示器へ出力するデインターレース器を有することを特徴とする請求項１記載のダイレクトメディアクセスモードを有するコンピュータシステム。
【請求項７】
前記ＭＰＥＧデコーダは、ＭＰＥＧ２デコーダであることを特徴とする請求項１記載のダイレクトメディアクセスモードを有するコンピュータシステム。
【請求項８】
前記メディアアクセス装置は、ＤＶＤ装置であることを特徴とする請求項１記載のダイレクトメディアクセスモードを有するコンピュータシステム。
【請求項９】
前記ＤＶＤ装置は、ＤＶＤ＋ＲＷであることを特徴とする請求項８記載のダイレクトメディアクセスモードを有するコンピュータシステム。
【請求項１０】
前記メディアアクセス装置は、ＣＤ装置であることを特徴とする請求項１記載のダイレクトメディアクセスモードを有するコンピュータシステム。
【請求項１１】
前記ＣＤ装置は、ＣＤ−ＲＷであることを特徴とする請求項１０記載のダイレクトメディアクセスモードを有するコンピュータシステム。
【請求項１２】
前記メディアアクセス装置は、ハードディスクであることを特徴とする請求項１記載のダイレクトメディアクセスモードを有するコンピュータシステム。
【請求項１３】
前記コントローラは、マイクロプロセッサであることを特徴とする請求項１記載のダイレクトメディアクセスモードを有するコンピュータシステム。
【請求項１４】
メディアアクセス装置によりメディアデータにアクセスした後に生成されるバスデータを受信するバススイッチと、
前記バススイッチからの前記バスデータを受信してデコードを行うとともに、画像データストリームを表示器へ出力して表示するＭＰＥＧデコーダと、
前記メディアアクセス装置、前記ＭＰＥＧデコーダおよび前記バススイッチを制御するコントローラとを備えるダイレクトメディアクセスモードを有する回路装置であって、
前記コントローラの決定により、前記回路装置はコンピュータモードあるいはダイレクトメディアクセスモードのいずれかに制御され、
前記コンピュータモードの時、前記バススイッチは前記バスデータを前記コンピュータホストへ切換え、
前記ダイレクトメディアクセスモードの時、前記バススイッチは前記バスデータを前記ＭＰＥＧデコーダへ切換え、
前記コンピュータモードの時、前記コンピュータホストをオンにし、
前記ダイレクトメディアクセスモードの時、前記コンピュータホストをオフにし、前記コントローラは前記回路を制御することを特徴とするダイレクトメディアクセスモードを有する回路装置。
【請求項１５】
前記バススイッチと前記ＭＰＥＧデコーダとの間に位置し、前記バスデータがＭＰＥＧ標準に適合しない時、前記バスデータをＭＰＥＧ標準に適合するＭＰＥＧデータストリームに変換するインターフェイス装置をさらに備えることを特徴とする請求項１４記載のダイレクトメディアクセスモードを有する回路装置。
【請求項１６】
前記インターフェイス装置は、ユニバーサルシリアルバスをＭＰＥＧデータストリームに変換するインターフェイスであることを特徴とする請求項１５記載のダイレクトメディアクセスモードを有する回路装置。
【請求項１７】
前記インターフェイス装置は、ＩＤＥをＭＰＥＧデータストリームに変換するインターフェイスであることを特徴とする請求項１５記載のダイレクトメディアクセスモードを有する回路装置。
【請求項１８】
前記画像データストリームを受信し、放映されるテレビ信号をテレビへ出力するデジタル／アナログ変換器を有することを特徴とする請求項１４記載のダイレクトメディアクセスモードを有する回路装置。
【請求項１９】
前記画像データストリームを受信し、放映されるデジタルＲＧＢ信号あるいはアナログＲＧＢ信号を表示器へ出力するデインターレース器を有することを特徴とする請求項１４記載のダイレクトメディアクセスモードを有する回路装置。
【請求項２０】
前記メディアアクセス装置は、ＤＶＤ装置であることを特徴とする請求項１４記載のダイレクトメディアクセスモードを有する回路装置。
【請求項２１】
前記ＤＶＤ装置は、ＤＶＤ＋ＲＷであることを特徴とする請求項２０記載のダイレクトメディアクセスモードを有する回路装置。
【請求項２２】
前記コントローラは、マイクロプロセッサであることを特徴とする請求項１４記載のダイレクトメディアクセスモードを有する回路装置。
【発明の詳細な説明】
【技術分野】
【０００１】
本発明は、コンピュータシステムに関し、特にダイレクトメディアクセスモードを有するコンピュータシステムに関する。
【背景技術】
【０００２】
デジタル画像技術の発達により、高画質の画像を提供する産品は次第に普及している。そしてデジタル画像技術の分野において、高い圧縮率でも様々な圧縮技術により優れた画像を提供することができるようになった。一般にＭＰＥＧ標準とは、例えばＭＰＥＧ１、ＭＰＥＧ２、ＭＰＥＧ４あるいはＭＰＥＧ７の共通のデコード標準である。その中でもＭＰＥＧ２はＤＶＤが準拠する標準であり、高画質画像を提供することができるため、市場に広く流通している。そして、一般にＤＶＤ画像を見るには一台のＤＶＤプレーヤーが必要である。
【０００３】
コンピュータ技術の急速な発達にともない、コンピュータに使用するＤＶＤプレーヤーも開発され、それはコンピュータをオンにすると、ソフトウェアのデコード方式によりＤＶＤ画像を見ることができる。しかし、この従来の方式は、コンピュータでＤＶＤ画像を見る時、先ずＢＩＯＳを起動しなければならず、さらにオペレーティングシステムも起動しなければならなかった。そのため、オペレーティングシステムにおいてＤＶＤ画像を見るには、遅い起動スピード、高い消費電力そして遅い画像処理速度という欠点が存在した。
【０００４】
従来、起動して直ちにＤＶＤ画像を見ることができるのはＤＶＤプレーヤーだけであった。しかし、このタイプのＤＶＤプレーヤーは、コンピュータのＤＶＤプレーヤーと共用することができないために装置が重複した。もしコンピュータシステムのＤＶＤプレーヤーおよび表示器、そして必要なＭＰＥＧデコーダを利用することができるなら、一つのコンピュータシステムは一台分のＤＶＤプレーヤーの機能を兼ね備えることができる。そのため、装置を重複して購入しなくともよく、費用を節約することができる。またコンピュータのオペレーティングシステムを使用しない時は、コンピュータの電源を起動する必要もないため、電源の使用を低減させて、環境保護、エネルギー資源の節約という効能を達成することができる。
【０００５】
従って、ユーザはコンピュータホストを起動すると、一般のコンピュータとして使用することができるうえ、コンピュータホストをオフにしている時にも、ＤＶＤプレーヤーを使用することができ、起動して直ちに見る効能を具えるコンピュータシステムが設計されるなら、高い産業価値を有する。
【発明の開示】
【発明が解決しようとする課題】
【０００６】
本発明の目的は、ＢＩＯＳの起動もオペレーティングシステムの実行も行わない情況でも、画像データを直接に放映することができるダイレクトメディアクセスモードを有するコンピュータシステムを提供することにある。
【０００７】
本発明のもう一つの目的は、コンピュータモードあるいはダイレクトメディアクセスモードにおいても、メディアアクセス装置を共用することができるダイレクトメディアクセスモードを有するコンピュータシステムを提供することにある。
【課題を解決するための手段】
【０００８】
以上の目的を達成するために、本発明はダイレクトメディアクセスモードを有するコンピュータシステムを提供する。このコンピュータシステムは少なくとも、メディアアクセス装置、コンピュータホスト、表示器、ＭＰＥＧデコーダ、バススイッチおよびコントローラを含む。
【０００９】
メディアアクセス装置は、メディアデータにアクセスしてバスデータを出力し、ＭＰＥＧデコーダは、バスデータを受信してデコードを行って画像データストリームを表示器へ出力して表示する。コントローラはメディアアクセス装置、ＭＰＥＧデコーダおよびバススイッチを制御する。上述のメディアアクセス装置は、例えばＤＶＤプレーヤー、ＶＣＤプレーヤーあるいはハードディスクである。
【００１０】
コントローラの決定により、コンピュータシステムはコンピュータモードおよびダイレクトメディアクセスモードを有する。コンピュータモードの時、コンピュータホストをオンにし、コンピュータホストはコンピュータシステムを制御し、バススイッチはバスデータをコンピュータホストへ切換える。ダイレクトメディアクセスモードの時、コンピュータホストをオフにし、コントローラはコンピュータシステムを制御し、バススイッチはバスデータをＭＰＥＧデコーダへ切換える。
【００１１】
バスデータがＭＰＥＧ標準に適合しない時、コンピュータシステムはインターフェイス装置により、バスデータをＭＰＥＧ標準に適合するＭＰＥＧデータストリームに変換する。
【００１２】
上述のインターフェイス装置は、例えばユニバーサルシリアルバス（ＵＳＢ）をＭＰＥＧデータストリームに変換するインターフェイスか、あるいはＩＤＥをＭＰＥＧデータストリームに変換するインターフェイスである。ＭＰＥＧデコーダは、例えばＭＰＥＧ２デコーダ、ＭＰＥＧ４デコーダあるいはＭＰＥＧ７デコーダである。コントローラは、例えばマイクロプロセッサあるいはフィールドプログラマブルゲートアレイ（ＦＰＧＡ）である。
【発明の効果】
【００１３】
本発明はコントローラおよびバススイッチを有するため、ＢＩＯＳの起動もオペレーティングシステムの実行も行わない情況でも、画像データを直接に放映することができる。また、本発明はバススイッチを有するため、コンピュータモードあるいはダイレクトメディアクセスモードにおいても、メディアアクセス装置を共用することができる。
【発明を実施するための最良の形態】
【００１４】
図１は本発明の好適な実施例を示すブロック図である。図１に示すように、コンピュータシステム１００はメディアアクセス装置１０２、コンピュータホスト１０４、表示器１０６、ＭＰＥＧデコーダ１０８、バススイッチ１１０およびコントローラ１１３を含む。
【００１５】
次にコンピュータシステム１００の操作を説明する。コントローラ１１３が起動信号１１４を受信すると、コンピュータモードおよびダイレクトメディアクセスモードをユーザに選択させる。コンピュータモードが選択されるとコンピュータホスト１０４をオンにし、コンピュータホスト１０４はコンピュータシステム１００を制御する。ダイレクトメディアクセスモードが選択されると、コンピュータホスト１０４をオフにし、コントローラ１１３はコンピュータシステム１００を制御する。
【００１６】
メディアアクセス装置１０２は、メディアデータにアクセスしてバスデータ１１２を出力する。メディアアクセス装置１０２には、例えばＤＶＤ装置、ＣＤ装置、ハードディスクおよび各種保存装置とシステムが含まれる。前述のＤＶＤ装置は、例えばＤＶＤプレーヤー、ＤＶＤ＋ＲＷあるいはＤＶＤ−ＲＷである。ＣＤ装置は、例えばＣＤ−ＲＯＭあるいはＣＤ−ＲＷである。
【００１７】
ユーザがコンピュータモードを選択すると、バススイッチ１１０はバスデータ１１２をコンピュータホスト１０４へ切換える。この時、コンピュータホスト１０４はコントロール権を有し、メディアアクセス装置１０２を一般のメディアアクセス装置として用いる。
【００１８】
ユーザがダイレクトメディアクセスモードを選択すると、バススイッチ１１０はバスデータ１１２をＭＰＥＧデコーダ１０８へ切換える。この時、コントローラ１１３はコントロール権を有し、コントローラ１１３がメディアアクセス装置１０２、バススイッチ１１０およびＭＰＥＧデコーダ１０８間の作動を制御して調整する。この時、メディアアクセス装置１０２、バススイッチ１１０およびＭＰＥＧデコーダ１０８の電源はコンピュータホストの予備用電源により提供される。
【００１９】
続いて、ＭＰＥＧデコーダ１０８はＭＰＥＧ標準に適合したバスデータ１１２を受信する必要がある。もしバスデータ１１２がＭＰＥＧ標準に適合するなら、ＭＰＥＧデータストリーム１１６はバスデータ１１２となる。もしバスデータ１１２がＭＰＥＧ標準に適合しない場合、バスデータ１１２をＭＰＥＧ標準に適合するＭＰＥＧデータストリーム１１６へ変換する一つのインターフェイス装置１２０が必要となる。インターフェイス装置１２０は、例えばユニバーサルシリアルバス（ＵＳＢ）をＭＰＥＧデータストリームに変換するインターフェイスか、又はＩＤＥをＭＰＥＧデータストリームに変換するインターフェイスである。
【００２０】
続いて、ＭＰＥＧデコーダ１０８はＭＰＥＧデータストリーム１１６を受信してデコードし、画像データストリーム１１８を生成して放映する。画像データストリーム１１８は、例えばＲＧＢ規格、ＩＴＵ６５６規格、ＩＴＵ６０１規格あるいはアナログの画像データストリームである。
【００２１】
以上述べたように、ＢＩＯＳの起動もオペレーティングシステムの実行も行わない状況下でも、画像データストリーム１１８を直接に放映する効能が達成される。画像データストリーム１１８は一般のテレビ１２６へ提供して放映されることができる以外に、液晶表示器などの表示器１０６へ提供して放映することもできる。図１に示すように、画像データストリーム１１８はインターレース信号（interlaced signal）であり、デジタル／アナログ変換器（Digital to Analog Converter：ＤＡＣ）１２２により変換した後、テレビ信号１２４を生成してテレビ１２６により放映する。画像データストリーム１１８はデインターレース器１２８（deinterlacer）により変換されてもよく、その後、デジタルＲＧＢ信号１３０あるいはアナログＲＧＢ信号１３２を生成して表示器１０６により放映する。
【００２２】
上述のＭＰＥＧデコーダ１０８は、これに限定はされないが、ＭＰＥＧ２デコーダ、ＭＰＥＧ４デコーダあるいはＭＰＥＧ７デコーダを含む。上述のコントローラ１１３は、例えば複雑なプログラマブルロジックのための装置（Complex Programmable Logic Device：ＣＰＬＤ）、フィールドプログラマブルゲートアレイ（Field Programmable Gate Array：ＦＰＧＡ）あるいは、例えば８０５１のマイクロプロセッサ（microprocessor）である。
【００２３】
図２Ａは一実施例を示す。図１および図２Ａに示すように、コンピュータシステム２００において、ＩＣカード２０７はバススイッチ１１０、ＭＰＥＧデコーダ１０８およびコントローラ１１２を含む。ＩＣカード２０７は、マザーボード２０６上あるいはコンピュータホスト２０４中のその他の位置に固定される。メディアアクセス装置１０２は、コントローラ１１２を生成してＩＣカード２０７へ伝送する。
【００２４】
コンピュータモードの時、ＩＣカード２０７はバスデータ１１２を、例えばＩＤＥインターフェイススロットあるいはＵＳＢスロットのコンピュータインターフェイススロット２１２へ切換える。この時、マザーボード２０６はオン状態で、メディアアクセス装置１０２を一般のメディアアクセス装置として用いる。
【００２５】
ダイレクトメディアクセスモードの時、ＭＰＥＧデコーダ１０８はバスデータ１１２をデコードした後、表示器１０６へ伝送して表示する。この時、マザーボード２０６はオフ状態であり、予備用電源２０８がマザーボード２０６へ電源を供給する。
【００２６】
図２Ｂにもう一つの実施例を示す。図１および図２Ｂに示すように、コンピュータシステム２０２において、ＩＣモジュール２１８はバススイッチ１１０、ＭＰＥＧデコーダ１０８およびコントローラ１１２を含む。ＩＣモジュール２１８はコンピュータホスト２１４に外部接続される。メディアアクセス装置１０２はバスデータ１１２を生成してＩＣモジュール２１８へ伝送する。
【００２７】
コンピュータモードの時、ＩＣモジュール２１８はバスデータ１１２を、例えばＩＤＥインターフェイススロットあるいはＵＳＢスロットのコンピュータインターフェイススロット２２２へ切換える。この時、マザーボード２１６はオン状態で、メディアアクセス装置１０２を一般のメディアアクセス装置として用いる。
【００２８】
ダイレクトメディアクセスモードの時、ＭＰＥＧデコーダ１０８はバスデータ１１２をデコードした後、表示器１０６へ伝送して表示する。この時、マザーボード２１６はオフ状態であり、外部電源２２０はＩＣモジュール２１８へ電源を供給する。
【００２９】
従って、ダイレクトメディアクセスモードの時、ＢＩＯＳの起動もオペレーティングシステムの実行も行わない情況下で、画像データを直接に放映することができる。また、コンピュータシステムがコンピュータモードあるいはダイレクトメディアクセスモードでも、メディアアクセス装置を共用することができる。
【００３０】
本発明では好適な実施例を前述の通り開示したが、これらは決して本発明を限定するものではなく、当該技術を熟知するものなら誰でも、本発明の精神と領域を脱しない範囲内で各種の変動や潤色を加えることができる。従って本発明の保護の範囲は、特許請求の範囲で指定した内容を基準とする。
【図面の簡単な説明】
【００３１】
【図１】本発明の好適な実施例を示すブロック図である。
【図２】（Ａ）は、好適な実施例を示すブロック図であり、（Ｂ）は、もう一つの好適な実施例を示すブロック図である。
【符号の説明】
【００３２】
１００  コンピュータシステム、１０２  メディアアクセス装置、１０４  コンピュータホスト、１０６  表示器、１０８  ＭＰＥＧデコーダ、１１０  バススイッチ、１１２  バスデータ、１１３  コントローラ、１１４  起動信号、１１６  ＭＰＥＧデータストリーム、１１８  画像データストリーム、１２０  インターフェイス装置、１２２  デジタル／アナログ変換器、１２４  テレビ信号、１２６  テレビ、１２８  デインターレース器、１３０  デジタルＲＧＢ信号、１３２  アナログＲＧＢ信号、２００、２０２  コンピュータシステム、２０４、２１４  コンピュータホスト、２０７  ＩＣカード、２０８  予備用電源、２１２、２２２  コンピュータインターフェイススロット、２０６、２１６  マザーボード、２１８  ＩＣモジュール、２２０  外部電源
【図１】
2005128992.tif 000003
【図２】
2005128992.tif 000004